(57)【要約】  【課題】  簡単な構造にて妨害波の対策が施されており、構成部材の製造及び組み立てコストを低減することができる接地部材及び該接地部材を備えたコネクタを提供する。  【解決手段】  コネクタＡは基板ＭＢの表側ＭＢ１に取り付けられており、絶縁性を有するフレーム１と、フレーム１に取り付けられる接触部材２と、内部接地部材３と、外部接地部材４とを有し、外部接地部材４は接触部材２とケーブルＣａのプラグＰｇに挟まれる挟着部４１と、挟着部４１と一体に形成され所定の角度を有するカバー部４２とを備えている。【選択図】      図２
2006114344.tif 000002
【特許請求の範囲】
【請求項１】
電子機器の基板に配置されるとともに、周辺機器と信号を送受信するケーブルを接続す
るコネクタであって、
フレームと、
前記ケーブルと接触する接触部材と、
前記電子機器の基板上の接地線に接地される内部接地部材と、
前記接触部材と接触し前記基板の接地線に接地され、前記フレームの外部より取り付け
られる外部接地部材とを有しており、
前記接触部材は中央に前記ケーブルのプラグを挿入し信号を送受信する挿入部と、前記
挿入部を挟んで対面する位置に２個のビス部を備えており、
前記ビス部は一方の端部に雄ねじと他方の端部に雌ねじとを有し、
前記接触部材と前記内部接地部材は前記フレームを挟んで配置され、前記ビス部にて通
電状態になるように連結固定されており、
前記外部接地部材は前記接触部材と前記ケーブルとの間に挟まれる挟着部と、前記挟着
部と一体に形成され、前記基板の前記フレームが配置される面と反対側の面に配置される
カバー部とを有しており、
前記挟着部は中央に前記挿入部が貫通する貫通孔を有し、それ自体弾性を有するととも
に表面に凸部を有しており、
前記カバー部は矩形を有しており前記挟着部と連結する辺以外の辺は前記基板側に折り
曲げられて脚部が形成されており、該脚部は前記基板の裏の絶縁部と接触し、
前記脚部の一部が前記基板に備えられた接地用のスルーホールに挿入されるとともには
んだ付けされ、接地されることを特徴とするコネクタ。
【請求項２】
電子機器の基板に配置され、周辺機器と接続するためのケーブルを接続するコネクタで
あって、
フレームと、
前記ケーブルと接触する接触部材と、
前記接触部材と接触し前記基板の接地線に接地され、前記フレームの外部より取り付け
られる外部接地部材とを有しており、
前記接触部材は中央に前記ケーブルのプラグを挿入し信号を受信する挿入部を備えてお
り、
前記外部接地部材は前記接触部材と前記ケーブルとの間に挟まれる挟着部と、前記挟着
部と一体に形成され、前記基板の前記フレームが配置される面と反対側の面に配置される
カバー部とを有しており、
前記挟着部は中央に前記挿入部が貫通する貫通孔を有し、
前記カバー部は前記挟着部と接続する部分以外の部分のうち少なくとも一部にはカバー
部と一体の脚部と、前記基板に備えられた接地用のスルーホールに挿入され接地される端
子部とが形成されており、
前記該脚部は前記基板の絶縁部と接触することを特徴とするコネクタ。
【請求項３】
電子機器の基板に配置されるとともに、周辺機器と信号を送受信するケーブルを接続す
るコネクタであって、
フレームと、
前記ケーブルと接触する接触部材と、
前記電子機器の基板上の接地線に接地される内部接地部材と、
前記接触部材と接触し前記基板の接地線に接地され、前記フレームの外部より取り付け
られる外部接地部材とを有しており、
前記接触部材は中央に前記ケーブルのプラグを挿入し信号を送受信する挿入部と、前記
挿入部を挟んで対面する位置に２個のビス部を備えており、
前記ビス部は一方の端部に雄ねじと他方の端部に雌ねじとを有し、
前記接触部材と前記内部接地部材は前記フレームを挟んで配置され、前記ビス部にて通
電状態になるように連結固定されており、
前記外部接地部材は前記接触部材と前記ケーブルとの間に挟まれる挟着部と、前記挟着
部と一体に形成され、前記基板の前記フレームが配置される面と同じ側の面に配置される
カバー部とを有しており、
前記挟着部は中央に前記挿入部が貫通する貫通孔を有し、それ自体弾性を有するととも
に表面に凸部を有しており、
前記カバー部は矩形を有しており前記挟着部と連結する辺以外の辺は前記基板側に折り
曲げられて脚部が形成されており、該脚部は前記基板の裏の絶縁部と接触し、
前記脚部の一部が前記基板に備えられた接地用のスルーホールに挿入されるとともには
んだ付けされ、接地されることを特徴とするコネクタ。
【請求項４】
電子機器の基板に配置され、周辺機器と接続するためのケーブルを接続するコネクタで
あって、
フレームと、
前記ケーブルと接触する接触部材と、
前記接触部材と接触し前記基板の接地線に接地され、前記フレームの外部より取り付け
られる外部接地部材とを有しており、
前記接触部材は中央に前記ケーブルのプラグを挿入し信号を受信する挿入部を備えてお
り、
前記外部接地部材は前記接触部材と前記ケーブルとの間に挟まれる挟着部と、前記挟着
部と一体に形成され、前記基板の前記フレームが配置される面と同じ側の面に配置される
カバー部とを有しており、
前記挟着部は中央に前記挿入部が貫通する貫通孔を有し、
前記カバー部は前記挟着部と接続する部分以外の部分のうち少なくとも一部にはカバー
部と一体の脚部と、前記基板に備えられた接地用のスルーホールに挿入され接地される端
子部とが形成されており、
前記該脚部は前記基板の裏の絶縁部と接触することを特徴とするコネクタ。
【請求項５】
前記挟着部には凸部が形成されていることを特徴等する請求項２又は請求項４に記載の
コネクタ。
【請求項６】
前記挟着部は弾性を有していることを特徴とする請求項２又は請求項４に記載のコネク
タ。
【請求項７】
電子機器の基板に取り付けられ、該電子機器と周辺機器とを接続するケーブルを接続し
、フレームと、前記ケーブルと接触し中央に前記ケーブルのプラグを挿入する挿入部が形
成されている接触部材とを有するコネクタに取り付けられる接地部材であって、
前記接触部材と前記ケーブルに挟まれ、電気的に接続する挟着部と、
前記挟着部と一体に形成されており該挟着部に対して所定の角度を有し、前記基板の前
記フレームが配置されたのと反対側に配置されるカバー部とを有しており、
前記挟着部は前記接触部と接続するときに前記挿入部が貫通するための貫通孔と、前記
貫通孔以外の部分に複数の凸部とを有しており、
前記カバー部は矩形状であって、前記挟着部と接続している辺以外の辺は折り曲げられ
て脚部が形成されており、該脚部は前記基板の絶縁部と接触するとともに、一部が該基板
の接地用スルーホールに挿入されはんだ付けされており、
前記挟着部は前記接触部と前記ケーブルに挟まれたときに弾性力にて該ケーブルに押し
つけられることを特徴とする接地部材。
【請求項８】
電子機器の基板に取り付けられ、該電子機器と周辺機器とを接続するケーブルを接続し
、フレームと、接触部材とを有するコネクタに取り付けられる接地部材であって、
前記接触部材と前記ケーブルに挟まれ、電気的に接続する挟着部と、
前記挟着部と一体に形成されており該挟着部に対して所定の角度を有し、前記基板の前
記フレームが配置されたのと反対側に配置されるカバー部とを有しており、
前記カバー部は一体で形成され前記基板の絶縁部と接触する脚部と、前記基板の接地用
スルーホールに挿入される端子部を有していることを特徴とする接地部材。
【請求項９】
電子機器の基板に取り付けられ、該電子機器と周辺機器とを接続するケーブルを接続し
、フレームと、前記ケーブルと接触し中央に前記ケーブルのプラグを挿入する挿入部が形
成されている接触部材とを有するコネクタに取り付けられる接地部材であって、
前記接触部材と前記ケーブルに挟まれ、電気的に接続する挟着部と、
前記挟着部と一体に形成されており該挟着部に対して所定の角度を有し、前記基板の前
記フレームが配置されたのと同じ側に配置されるカバー部とを有しており、
前記挟着部は前記接触部と接続するときに前記挿入部が貫通するための貫通孔と、前記
貫通孔以外の部分に複数の凸部とを有しており、
前記カバー部は矩形状であって、前記挟着部と接続している辺以外の辺は折り曲げられ
て脚部が形成されており、該脚部は前記基板の絶縁部と接触するとともに、一部が該基板
の接地用スルーホールに挿入されはんだ付けされており、
前記挟着部は前記接触部と前記ケーブルに挟まれたときに弾性力にて該ケーブルに押し
つけられることを特徴とする接地部材。
【請求項１０】
電子機器の基板に取り付けられ、該電子機器と周辺機器とを接続するケーブルを接続し
、フレームと、接触部材とを有するコネクタに取り付けられる接地部材であって、
前記接触部材と前記ケーブルに挟まれ、電気的に接続する挟着部と、
前記挟着部と一体に形成されており該挟着部に対して所定の角度を有し、前記基板の前
記フレームが配置されたのと同じ側に配置されるカバー部とを有しており、
前記カバー部は一体で形成され前記基板の絶縁部と接触する脚部と、前記基板の接地用
スルーホールに挿入される端子部を有していることを特徴とする接地部材。
【請求項１１】
前記挟着部には凸部が形成されていることを特徴等する請求項８又は請求項１０に記載
の接地部材。
【請求項１２】
前記挟着部は弾性力にて前記ケーブルに押しつけられることを特徴とする請求項８又は
請求項１０に記載の接地部材。
【発明の詳細な説明】
【技術分野】
【０００１】
本発明はＰＣ等の電子機器の基板に取り付けられるコネクタの接地を行うものであり、
不要輻射による影響を防止することができる接地部材を備えたコネクタに関する。
【背景技術】
【０００２】
ＰＣ等の電子機器はケーブルを介して周辺機器と接続されることが多い。前記ケーブル
を介して前記電子機器に信号が入力されるときに、不要輻射によるノイズが入力され、該
電子機器に障害が出る場合がある。前記ケーブルから前記電子機器へ入力する信号による
不要輻射の対策は、該ケーブルが接続されるコネクタを前記電子機器の基板上の接地線に
接続することで行っている。これにより、前記ケーブルのシールド線を接地することがで
き、不要輻射を低減することが可能である。
【０００３】
図６に従来用いられているコネクタの一例の概略斜視図を、図７に図６に示すコネクタ
の側断面図を示す。図６に示すコネクタＤは、フレーム９１と、ケーブルと接触する接触
部材９２と、内部接地部材９３と、ケーブルを挿入し信号を送受信する挿入部９４を有し
ている。図７に示すようにコネクタＤは基板ＭＢの表面ＭＢ１より端子９５を差し込んで
裏面ＭＢ２ではんだ付けすることで取り付けられている。挿入部９４は接触部材９２の中
央に設けられている。コネクタＤには内部接地部材９３が取り付けられており、基板ＭＢ
の接地用スルーホールＴｅ４に挿入し、はんだ付けすることで接地されている。接触部材
９２と内部接地部材９３とはフレーム９１を挟んで対峙している。
【０００４】
コネクタＤの接触部材９２には挿入部９４を挟んで対称の位置に断面多角形（ここでは
、六角形）のビス部９２１が備えられている。このビス部９２１は一方の端部に雄ねじ９
２２が形成されており、他方の端部には雌ねじ９２３が形成されている。ビス部９２１の
雄ねじ９２２を接触部材９２側からフレーム９１、内部接地部材９３を貫通し、先端部に
ナット９２４を螺合することでコネクタＤに固定されている。ケーブルを挿入部９４に挿
入したときに、ケーブルに設けられている雄ねじとビス部９２２の雌ねじ９２３とを螺合
することでケーブルがコネクタＤより外れるのを防ぐものである。接触部材９２と内部接
地部材９３はビス部９２２とナット９２４とを螺合することで電気的に接続されている。
【特許文献１】実開平４−５５７７３号公報
【特許文献２】特開平９−１９９２３６号公報
【特許文献３】特開平１０−２８４１８３号公報
【発明の開示】
【発明が解決しようとする課題】
【０００５】
しかしながら、コネクタＤの接触部材９２と内部接地部材９３とはビス部９２２を介し
て電気的に接続されているだけである。即ち、接触部材９２の接地は実質上ビス部９２２
となり、抵抗が大きく電流が流れにくく接地が不十分である。接触部材９２が十分に接地
されていないと、電子機器に入力される信号がノイズの影響を受け、電子機器の動作に不
具合が発生する。
【０００６】
そこで本発明は、簡単な構造且つ製作が安価で容易に取り付け、接地を強化することが
でき、外部機器から信号が入力するときに、ケーブルを伝わる不要輻射による悪影響を防
止又は低減することができる接地部材及び該接地部材を取り付けたコネクタを提供するこ
とを目的とする。
【０００７】
また本発明は、既存のコネクタにも取り付けることができ、既存のコネクタの接地を強
化することで、信号入力時の不要輻射による悪影響を防止又は低減することができる接地
部材を提供することを目的とする。
【課題を解決するための手段】
【０００８】
上記目的を達成するために本発明は、電子機器の基板に配置されるとともに、周辺機器
と信号を送受信するケーブルを接続するコネクタであって、フレームと、前記ケーブルと
接触する接触部材と、前記電子機器の基板上の接地線に接地される内部接地部材と、前記
接触部材と接触し前記基板の接地線に接地され、前記フレームの外部より取り付けられる
外部接地部材とを有しており、前記接触部材は中央に前記ケーブルのプラグを挿入し信号
を送受信する挿入部と、前記挿入部を挟んで対面する位置に２個のビス部を備えており、
前記ビス部は一方の端部に雄ねじと他方の端部に雌ねじとを有し、前記接触部材と前記内
部接地部材は前記フレームを挟んで配置され、前記ビス部にて通電状態になるように連結
固定されており、前記外部接地部材は前記接触部材と前記ケーブルとの間に挟まれる挟着
部と、前記挟着部と一体に形成され、前記基板の前記フレームが配置される面と反対側の
面に配置されるカバー部とを有しており、前記挟着部は中央に前記挿入部が貫通する貫通
孔を有し、それ自体弾性を有するとともに表面に凸部を有しており、前記カバー部は矩形
を有しており前記挟着部と連結する辺以外の辺は前記基板側に折り曲げられて脚部が形成
されており、該脚部は前記基板の裏の絶縁部と接触し、前記脚部の一部が前記基板に備え
られた接地用のスルーホールに挿入されるとともにはんだ付けされ、接地されることを特
徴とする。
【０００９】
この構成によると、ケーブルが接続するコネクタの接地を強化してあるので、前記ケー
ブルより電子機器に信号が入力されるときに、不要輻射によるノイズ信号や電流が効果的
に外部接地部材によって取り除かれるので、前記入力される信号と混合されて基板に流入
するのを防ぐことができ、不要輻射による悪影響を防止又は低減することができる。
【００１０】
また、外部接地部材の挟着部には凸部が形成されており、該外部接地部材をコネクタに
取り付けるときに前記挟着部を接触部に押し付ける押し付け圧力を強くすることができる
。これによって、前記コネクタに前記ケーブルが接続されたときの接地を強化することが
できる。
【００１１】
さらに、前記外部接地部材の挟着部とカバー部の角度を、該外部接地部材を前記コネク
タに取り付けたときの挟着部とカバー部の角度よりもわずかにずらしており、これにより
、挟着部に弾性力を発生させることができ、接触部に押し付ける押し付け圧力を強くする
ことができる。これによって、前記コネクタに前記ケーブルが接続されたときの接地を強
化することができる。
【００１２】
また、前記カバー部は前記基板の裏側から突出する前記コネクタの端子の先端部を非接
触で覆うので、前記端子より発生する不要輻射による他の機器への影響を除く又は低減す
ることができる。
【００１３】
上記目的を達成するために本発明は、電子機器の基板に配置され、周辺機器と接続する
ためのケーブルを接続するコネクタであって、フレームと、前記ケーブルと接触する接触
部材と、前記接触部材と接触し前記基板の接地線に接地され、前記フレームの外部より取
り付けられる外部接地部材とを有しており、前記接触部材は中央に前記ケーブルのプラグ
を挿入し信号を受信する挿入部を備えており、前記外部接地部材は前記接触部材と前記ケ
ーブルとの間に挟まれる挟着部と、前記挟着部と一体に形成され、前記基板の前記フレー
ムが配置される面と反対側の面に配置されるカバー部とを有しており、前記挟着部は中央
に前記挿入部が貫通する貫通孔を有し、前記カバー部は前記挟着部と接続する部分以外の
部分のうち少なくとも一部にはカバー部と一体の脚部と、前記基板に備えられた接地用の
スルーホールに挿入され接地される端子部とが形成されており、前記該脚部は前記基板の
絶縁部と接触することを特徴とする。
【００１４】
この構成によると、前記コネクタの接地を強化することができるので、前記ケーブルに
て信号が入力されるときに起こる不要輻射によるノイズ等の不具合が発生するのを低減す
ることができる。また、前記基板から突出する前記コネクタの端子より発生する不要輻射
による他の機器への影響を防ぐ又は低減することができる。
【００１５】
前記外部接地部材のカバー部材は前記基板の前記フレームが配置される側と同じ側に配
置されてもよい。この場合、前記コネクタのフレーム側に配置された機器より発生する不
要輻射による他の機器への影響を防ぐ又は低減することができる。また、前記カバー部材
が前記フレームと同じ側に配置されるので、取り付けが容易である。
【００１６】
前記外部接地部材は１枚の金属板に貫通孔を形成し折り曲げることで作製してもよい。
１枚の金属板より形成することで、無駄なく、簡単な工法で製造することができるので、
製造コストを下げることができる。また、前記外部接地部材の各部が別個に形成され、接
合されていてもよい。このとき、各部が電気的に連結される接合方法を広く採用すること
ができる。前記挟着部の凸部は塑性変形によるものであり、例えばエンボス加工のように
、金属板の性質を著しく変化させない加工を広く採用することができる。
【００１７】
さらに上記目的を達成するため本発明は、電子機器の基板に取り付けられ、該電子機器
と周辺機器とを接続するケーブルを接続し、フレームと、前記ケーブルと接触し中央に前
記ケーブルのプラグを挿入する挿入部が形成されている接触部材とを有するコネクタに取
り付けられる接地部材であって、前記接触部材と前記ケーブルに挟まれ、電気的に接続す
る挟着部と、前記挟着部と一体に形成されており該挟着部に対して所定の角度を有し、前
記基板の前記フレームが配置されたのと反対側に配置されるカバー部とを有しており、前
記挟着部は前記接触部と接続するときに前記挿入部が貫通するための貫通孔と、前記貫通
孔以外の部分に複数の凸部とを有しており、前記カバー部は矩形状であって、前記挟着部
と接続している辺以外の辺は折り曲げられて脚部が形成されており、該脚部は前記基板の
絶縁部と接触するとともに、一部が該基板の接地用スルーホールに挿入されはんだ付けさ
れており、前記挟着部は前記接触部と前記ケーブルに挟まれたときに弾性を有することを
特徴とする。
【００１８】
この構成によると、ケーブルが接続するコネクタの接地を強化することができ、前記ケ
ーブルより電子機器に信号が入力されるときに、不要輻射によるノイズ信号や電流が効果
的に外部接地部材によって取り除かれるので、前記入力される信号と混合されて基板に流
入するのを防ぐことができ、不要輻射による悪影響を防止又は低減することができる。
【００１９】
また、接地部材の挟着部には凸部が形成されており、該接地部材をコネクタに取り付け
るときに前記挟着部を接触部に押し付ける押し付け圧力を強くすることができる。これに
よって、前記コネクタに前記ケーブルが接続されたときの接地を強化することができる。
【００２０】
さらに、前記接地部材の挟着部とカバー部の角度を、該接地部材を前記コネクタに取り
付けたときの挟着部とカバー部の角度よりもわずかにずらしており、これにより、挟着部
に弾性力を発生させることができ、接触部に押し付ける押し付け圧力を強くすることがで
きる。これによって、前記コネクタに前記ケーブルが接続されたときの接地を強化するこ
とができる。
【００２１】
また、前記カバー部は前記基板の裏側から突出する前記コネクタの端子の先端部を非接
触で覆うので、前記端子より発生する不要輻射による他の機器への影響を除く又は低減す
ることができる。また、取付が容易であるので既存のコネクタにも装着することが可能で
ある。
【００２２】
さらに上記目的を達成するため本発明は、電子機器の基板に取り付けられ、該電子機器
と周辺機器とを接続するケーブルを接続し、フレームと、接触部材とを有するコネクタに
取り付けられる接地部材であって、前記接触部材と前記ケーブルに挟まれ、電気的に接続
する挟着部と、前記挟着部と一体に形成されており該挟着部に対して所定の角度を有し、
前記基板の前記フレームが配置されたのと反対側に配置されるカバー部とを有しており、
前記カバー部は一体で形成され前記基板の絶縁部と接触する脚部と、前記基板の接地用ス
ルーホールに挿入される端子部を有していることを特徴とする。
【００２３】
この構成によると、前記コネクタの接地を強化することができるので、前記ケーブルに
て信号が入力されるときに起こる不要輻射によるノイズ等の不具合が発生するのを低減す
ることができる。また、前記基板から突出する前記コネクタの端子より発生する不要輻射
による他の機器への影響を防ぐ又は低減することができる。
【００２４】
前記外部接地部材のカバー部材は前記基板の前記フレームが配置される側と同じ側に配
置されてもよい。この場合、前記コネクタのフレーム側に配置された機器より発生する不
要輻射による他の機器への影響を防ぐ又は低減することができる。また、前記カバー部材
が前記フレームと同じ側に配置されるので、取り付けが容易である。また、既存の電子機
器に取り付ける場合も前記基板の裏面にアクセスせずに取り付けられるので、取り付けや
すい。
【発明の効果】
【００２５】
本発明によると、簡単な構造且つ製作が安価で容易に取り付け、接地を強化することが
でき、外部機器から信号が入力するときに、ケーブルを伝わる不要輻射による悪影響を防
止又は低減することができる。
【００２６】
また本発明によると、既存のコネクタにも取り付けることができ、既存のコネクタの接
地を強化することで、信号入力時の不要輻射による悪影響を防止又は低減することができ
る。
【発明を実施するための最良の形態】
【００２７】
以下に本発明の実施形態を図面を参照して説明する。図１に本発明にかかるコネクタの
一例の斜視図を示す。図１に示すコネクタＡはそれには限定されないが、ここでは、ＰＣ
に配置されるものである。コネクタＡは基板ＭＢの表側ＭＢ１に取り付けられており、絶
縁性を有するフレーム１と、フレーム１に取り付けられる接触部材２と、内部接地部材３
と、外部接地部材４とを有している。
【００２８】
図２に本発明にかかる接地部材（外部接地部材）及びコネクタの側断面図を示す。図２
に示すようにコネクタＡは、フレーム１の正面１１側に接触部材２が取り付けられており
、背面１２側に内部接地部材３が取り付けられている。接触部材２は中央にケーブルＣａ
のプラグＰｇを挿入する挿入部２１と、挿入部２１を挟んで両側に設けられたビス部２２
とを有している（図１、図２参照）。
【００２９】
挿入部２１は台形柱形状を有しており、複数のピン挿入孔２１１が形成されている。こ
のピン挿入孔２１１に、ケーブルＣａに形成されるピン（図示省略）が挿入され、電気的
に接続されることで、信号を送受信することができる。挿入部２はフレーム１を貫通して
おり、端子２３が基板ＭＢに設けられたスルーホールＴｈ１を貫通している。貫通した端
子２３をはんだ付けすることで基板ＭＢのプリント配線と信号の送受信を行う。
【００３０】
ビス部２２は一方の先端に雄ねじ部２２１が、他方の先端に雌ねじ部２２２が形成され
ている。内部接地部材３はフレーム１を挟んで接触部材２と対峙して配置されている。ビ
ス部２２を接触部材２側から、フレーム１及び内部接地部材３に貫通させ、雄ねじ部２２
１の内部接地部材３側に突出した部分にナット２２３を螺合することで、接触部材２、フ
レーム１及び内部接地部材３とを連結固定することができる。また、ビス部２２は導電性
を有しており、接触部材２と内部接地部材３とはビス部２２にて電気的に接続される。内
部接地部材３は基板ＭＢの接地用スルーホールＴｅ１に端子３１を挿入し、端子３１がは
んだ付けされることで接地されている。
【００３１】
図２に示すように、ケーブルＣａは内部に信号を送信するための信号線５を有し、信号
線５の外周に絶縁層６を介して外部からの不要輻射による信号線５への影響及び信号線５
に高周波信号が送信されるときに発生する不要輻射が外部に影響を与えないようにシール
ド線７が備えられている。シールド線７はケーブルＣａのプラグＰｇがコネクタＡに接続
されたときに、外部接地部材４と電気的に接続され、接地される。シールド線７には通常
、信号、電流が流れることはないが、不要輻射の影響でノイズ信号、電流が発生すること
がある。この不要輻射によるノイズ信号、電流をコネクタＡに入力されるまえに外部接地
部材４で接地するので、ノイズ信号、電流が信号線より送信される信号と混じって基板Ｍ
Ｂに流されることがなく、それだけ、電子機器での不具合が発生しにくい。
【００３２】
図３に外部接地部材の斜視図を示す。外部接地部材４は接触部材２とケーブルＣａのプ
ラグＰｇに挟まれる挟着部４１と、挟着部４１と一体に形成され所定の角度を有するカバ
ー部４２とを備えている。挟着部４はコネクタＡに配置したときに、中央部４１０に接触
部材２の挿入部２１が貫通する中央貫通孔４１１を有している。また、中央部４１０を挟
んで両端部にビス部２２が貫通する端部貫通孔４１２とを有している。カバー部４２は外
部接地部材４がコネクタＡに取り付けられた状態のとき、基板ＭＢのフレームＡが配置さ
れた側と反対側（ここでは裏側ＭＢ２）に配置される。
【００３３】
カバー部４２はそれには限定されないが矩形状の平板部４２１を有しており、１つの辺
は挟着部４１と接続している。また、４辺のうち残りの３辺はカバー部４２と一体に形成
された脚部４２２が配置されている。脚部４２２はそれには限定されないがここでは、平
板部４２１と略直角に形成されており、外部接地部材４がコネクタＡに装着されたときに
、基板ＭＢの絶縁部に接触し、カバー部４２が基板ＭＢより突出したコネクタＡの端子２
３に接触しないように支持している（図３参照）。また、脚部４２２の一部には端子部４
２３が形成されており、端子部４２３を基板ＭＢの絶縁用スルーホールＴｅ２に挿入し、
はんだ付けすることで外部接地部材４は接地される（図１、図２参照）。また、端子部４
２３は脚部４２２とは別途備えられていてもよい。
【００３４】
外部接地部材４はそれには限定されないが、ここでは、１枚の金属板に貫通孔をあけ、
折り曲げることで製作されている。このとき、挟着部４１とカバー部４２との角度を、外
部接地部材４がコネクタＡに取り付けられ、ケーブルＣａのプラグＰｇが挿入された状態
のときの挟着部４１とカバー部４２がなす角度とわずかにずれた角度としても良い。この
ように角度をずらすことで、挟着部４１が弾性を有するように形成できるので、挟着部４
１が接触部材２と確実に接触することができる。
【００３５】
基板ＭＢ上においては、コネクタＡを含む電子機器より不要輻射が発生することが多く
、基板ＭＢの機器を設置した面の反対側に突出する端子の先端より発生する場合が多い。
上述のように、接地されたカバー部４２をコネクタＡ（挿入部２１）の端子２３の先端が
隠れるように配置することで、端子２３の先端から発生する不要輻射による他の部分への
影響も低減することができる。
【００３６】
図４に本発明にかかるコネクタの他の例の側断面図を示す。図４に示すように、挟着部
４１の表面には塑性変形による凸部４３が複数個形成されていてもよい。凸部４３が形成
されていることで、コネクタＡに外部接地部材４を取り付けるとき挟着部４１を接触部材
２に押し付ける押し付け圧を大きくすることができる。この凸部４３は、それには限定さ
れないがここでは、凸部４３の形状を有する型を押し付けて、金属板を変形させるエンボ
ス加工が採用されている。また、エンボス加工に限定されるものではなく、凸部４３を形
成できる加工方法を広く採用することができる。
【００３７】
図５に本発明にかかるコネクタの他の例の側断面図を示す。図５に示すコネクタＢは外
部接地部材８のカバー部８２が基板ＭＢのフレーム１側に取り付けられている。それ以外
は、図３に示すコネクタＡと同一であり、実質上同一の部分には同じ符号が付してある。
【００３８】
図５に示すように、カバー部８２はコネクタＡのフレーム１を覆うように配置される。
カバー部８２はそれには限定されないが矩形状の平板部８２１を有しており、１つの辺は
挟着部８１と接続している。また、挟着部８１が連結している辺と対向する辺には一体の
脚部８２２が形成されている。脚部８２２はそれには限定されないがここでは、平板部８
２１と略直角に形成されており、外部接地部材８がコネクタＢに装着されたときに、基板
ＭＢの絶縁部に接触し、カバー部８２がコネクタＢの本体に接触しないように支持してい
る（図５参照）。また、脚部８２２の一部には端子部８２３が形成されており、端子部８
２３を基板ＭＢの絶縁用スルーホールＴｅ３に挿入し、はんだ付けすることで外部接地部
材８は接地される。また、端子部８２３は脚部８２２と別途備えられていてもよい。
【００３９】
外部接地部材８はそれには限定されないが、ここでは、１枚の金属板に貫通孔をあけ、
折り曲げることで製作されている。このとき、挟着部８１とカバー部８２との角度を、外
部接地部材８がコネクタＢに取り付けられ、ケーブルＣａのプラグＰｇが挿入された状態
のときの挟着部８１とカバー部８２がなす角度とわずかに異なるように設定しても良い。
このように角度を設定することで、挟着部８１が弾性を有するように形成できるので、挟
着部８１が接触部材２と確実に接触することができる。
【００４０】
電子基板上においては、コネクタＢを含む電子機器より不要輻射が発生することが多い
。上述のように、接地されたカバー部８２をコネクタＢが隠れるように配置することで、
コネクタＢのから発生する不要輻射による他の部分への影響も低減することができる。ま
た、コネクタＢを基板ＭＢに装着し、基板ＭＢを電子機器に装着した後は、基板ＭＢのコ
ネクタＢと反対側（ここでは基板ＭＢの裏側ＭＢ２）に部材を取り付けるには基板ＭＢ自
体をはずさなくてはならない場合が多い。そのときでも、外部接地部材８を利用すること
で、基板ＭＢをはずすことなくコネクタの接地を強化することができる。
【００４１】
上記各実施例において、カバー部は矩形状の平板部を備えたものを例示しているが、そ
れに限定されるものではなく、平板部の形状はコネクタの形状、基板のプリント配線の形
状にあったものを採用することができる。このとき、脚部の形状も平板部の形状に合った
ものを採用する。また、本実施例では、外部接地部材の挟着部とカバー部が一体に形成さ
れているものを例示しているが、挟着部とカバー部が別体で作られて溶接等の接続方法で
連結されているものであっても良い。このとき、挟着部とカバー部は電気的に接続されて
いなくてはならない。カバー部の平板部と脚部（端子部が脚部と別に形成されている場合
は脚部ではなく端子部）も同様である。
【図面の簡単な説明】
【００４２】
【図１】本発明にかかる接地部材（外部接地部材）及びコネクタの一例の斜視図である。
【図２】図１に示す接地部材（外部接地部材）及びコネクタの側断面図である。
【図３】図１に示す接地部材（外部接地部材）の斜視図である。
【図４】本発明にかかる接地部材（外部接地部材）及びコネクタの他の例の束断面図である。
【図５】本発明にかかる接地部材（外部接地部材）及びコネクタのさらに他の例の束断面図である。
【図６】従来のコネクタの斜視図である。
【図７】従来のコネクタの断面図である。
【符号の説明】
【００４３】
Ａ  コネクタ
１  フレーム
２  接触部材
２１  挿入部
２１１  ピン挿入孔
２２  ビス部
２２１  雄ねじ
２２２  雌ねじ
２２３  ナット
２３  端子
３  内部接地部材
４  外部接地部材（接地部材）
４１  挟着部
４１１  中央貫通孔
４１２  端部貫通孔
４２  カバー部
４２１  平板部
４２２  脚部
４２３  端子部
５  信号線
６  絶縁層
７  シールド線
【図１】
2006114344.tif 000003
【図２】
2006114344.tif 000004
【図３】
2006114344.tif 000005
【図４】
2006114344.tif 000006
【図５】
2006114344.tif 000007
【図６】
2006114344.tif 000008
【図７】
2006114344.tif 000009